(57)【要約】【課題】利用者に負担をかけることなく利用者が望む印刷枚数を設定する。【解決手段】通信回線を介して受信した画像データの印刷注文を管理する注文管理装置であって、画像データを解析し、画像データ中に含まれる人物像の数を特定する人物数特定部４６０と、人物数特定部４６０が特定した人数を、印刷枚数として設定する確認データ生成部５００とを備える。注文管理装置４００の利用者が、画像データを添付してメールを送信しうるメールアドレスを格納するアドレス格納部４２０と、アドレス格納部４２０から、人物数特定部４６０が特定した人数に基づいてアドレスを取得するアドレス取得部４８０と、アドレス取得部４８０が取得したアドレスを画像データと共に利用者の端末に送信する送信部としての確認データ生成部５００とを更に備えてもよい。【選択図】　図４
2004038248.tif 000002
【特許請求の範囲】
【請求項１】
通信回線を介して受信した画像データの印刷注文を管理する注文管理装置であって、
前記画像データを解析し、前記画像データ中に含まれる人物像の数を特定する人物数特定部と、
前記人物数特定部が特定した人数を、印刷枚数として設定する枚数設定部と
を備えることを特徴とする注文管理装置。
【請求項２】
前記注文管理装置の利用者が、前記画像データを添付してメールを送信しうるメールアドレスを格納するアドレス格納部と、
前記アドレス格納部から、前記人物数特定部が特定した人数に基づいてアドレスを取得するアドレス取得部と、
前記アドレス取得部が取得したアドレスを前記画像データと共に利用者の端末に送信する送信部と
を更に備えることを特徴とする注文管理装置。
【請求項３】
被写体を撮像して画像データを生成する撮像装置と、前記画像データの印刷注文を管理する注文管理装置と、を備える注文管理システムであって、
前記撮像装置は、
前記画像データを生成する撮像部と、
前記画像データに基づいた印刷物の入手を希望する人の数である希望人数を入力する入力部と、
前記画像データと前記希望人数を示すデータとを対応付けて外部に出力する出力部と
を備え、
前記注文管理装置は、
前記希望人数を示すデータを前記画像データに対応付けて受信し、前記希望人数に基づいて印刷枚数を設定する枚数設定部と
前記画像データを受信して、当該画像データに基づいて前記希望人数分の印刷処理を行う印刷部と、
を備えることを特徴とする注文管理システム。
【発明の詳細な説明】
【０００１】
【発明の属する技術分野】
本発明は、注文管理装置及び注文管理システムに関する。特に本発明は、画像データの印刷注文を行う時の、利用者の負荷を低減させることができる注文管理装置及び注文管理システムに関する。
【０００２】
【従来の技術】
インターネット及びデジタルカメラの普及に伴い、デジタル画像のプリント注文をインターネットを介して受注するサービスが行われている。また、記録媒体の販売を促進するシステムとして、特開２００１−３１９１３２に開示された技術がある。本技術は、記録媒体の販売に関する販売促進情報内容を配信する情報配信装置と、少なくとも記録媒体を装着して電子情報内容を処理する第１の機能、及び情報配信装置から配信される販売促進情報内容を受信して処理する第２の機能とを有する複数の情報処理装置とを備え、記録媒体による電子情報内容と情報配信装置による販売促進情報内容とを同一の情報提供業者から提供するようにしたことを特徴とする。
【０００３】
【発明が解決しようとする課題】
プリント注文を行う場合、利用者は、プリント枚数をプリント業者に提示する必要がある。印刷すべき枚数は、画像データに含まれる人、或いは撮影時に一緒にいた人を基準に定められる場合が多い。利用者は、この人数を注文時に確認する必要があった。
【０００４】
そこで本発明は、上記の課題を解決することのできる注文管理装置及び注文管理システムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、通信回線を介して受信した画像データの印刷注文を管理する注文管理装置であって、画像データを解析し、画像データ中に含まれる人物像の数を特定する人物数特定部と、人物数特定部が特定した人数を、印刷枚数として設定する枚数設定部とを備えることを特徴とする注文管理装置を提供する。
【０００６】
注文管理装置の利用者が、画像データを添付してメールを送信しうるメールアドレスを格納するアドレス格納部と、アドレス格納部から、人物数特定部が特定した人数に基づいてアドレスを取得するアドレス取得部と、アドレス取得部が取得したアドレスを画像データと共に利用者の端末に送信する送信部とを更に備えてもよい。
【０００７】
本発明の第２の形態は、被写体を撮像して画像データを生成する撮像装置と、画像データの印刷注文を管理する注文管理装置と、を備える注文管理システムであって、撮像装置は、画像データを生成する撮像部と、画像データに基づいた印刷物の入手を希望する人の数である希望人数を入力する入力部と、画像データと希望人数を示すデータとを対応付けて外部に出力する出力部とを備え、注文管理装置は、希望人数を示すデータを画像データに対応付けて受信し、希望人数に基づいて印刷枚数を設定する枚数設定部と画像データを受信して、当該画像データに基づいて希望人数分の印刷処理を行う印刷部と、を備えることを特徴とする注文管理システムを提供する。
【０００８】
なお上記の発明の概要は、本発明の必要な特徴の全てを列挙したものではなく、これらの特徴群のサブコンビネーションも又発明となりうる。
【０００９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１０】
図１は、本発明の実施携帯の一例である注文管理システムの全体を示す概略図である。本注文管理システムは、画像データ中に含まれる人物数、或いは撮像時に画像データに付随設定される枚数データに基づいて印刷枚数を自動設定するシステムであり、撮像装置１００、利用者端末２００、及び注文管理装置４００を備える。利用者端末２００は、例えば無線通信や通信ケーブルを用いて撮像装置１００から画像データなどを受け取ると共に、インターネット等の通信網１０を介して注文管理装置４００との間でデータを送受信する。注文管理装置４００は、印刷装置３０と例えば専用線を介して接続する。また、利用者端末２００は、リムーバブルメディア４０から必要なプログラムをインストールされる。
【００１１】
利用者は、撮像装置１００で撮像した画像データを、印刷の注文を行うために、利用者端末２００を介して注文管理装置４００に送信する。ここで、利用者端末２００は、画像データを、リムーバブルメディアや脱着可能なＩＣメモリを介して撮像装置１００から取得してもよい。注文管理装置４００は、画像データを解析して当該画像データに含まれる人物像の数を認識し、その数を画像データの印刷枚数に設定する。そして、人物像数及び印刷枚数を利用者に提示して印刷枚数の認証を得た後、印刷装置３０に印刷を行わせる。
従って、本注文管理システムを用いると、利用者は、印刷枚数を設定するときに写真に写っている人を数えなくてすむ。
【００１２】
図２は、撮像装置１００の機能ブロック図である。撮像装置１００は、撮像部１２０、入力部１４０、格納部１６０、及び出力部１８０を有する。
撮像部１２０は、例えばＣＣＤや光学系を含んでおり、外部から光を取り込んで光電変換をすることで画像データを生成する。
入力部１４０は、利用者から撮像部１００を操作するための入力を受け付ける。また、入力部１０４は、画像データの取得を希望する人の数を示す枚数データを、当該画像データの撮像時に利用者から取得する。入力部１４０は、操作ボタンを介して利用者からのデータ入力を受け付けてもよいし、音声入力によりユーザからのデータ入力を受け付けてもよい。
格納部１６０は、撮像部１２０が生成した画像データと、入力部１４０が取得した枚数データとを対応付けて格納する。格納部１６０は、リムーバブルメディアや脱着可能な半導体メモリであってもよい。
出力部１８０は、利用者からの入力に基づいて、画像データ及び当該画像データに対応する枚数データを格納部１６０から読み出して利用者端末２００に出力する。
【００１３】
すなわち、撮像装置１００を用いることで、画像データを撮像したときに、当該画像データの取得を希望する人を入力することができる。従って、利用者は、画像データの印刷注文時などに、改めて印刷枚数を考える必要がなくなる。
【００１４】
図３は、利用者端末２００の機能ブロック図である。利用者端末２００は、利用者からの入力を受け付ける入力部２２０、注文処理部２４０、表示部２６０、及びメール送信部２８０を有する。
【００１５】
注文処理部２４０は、撮像装置１００から画像データ及び当該画像データに対応する枚数データを受信し、印刷注文データの一部として注文管理装置４００に送信する。ここで、印刷注文データは、利用者ＩＤを含む。また、注文処理部２４０は、表示部２６０を介して注文管理装置４００から注文確認データを受信し、この注文確認データを入力部２２０からの入力部に基づいて修正した後、注文管理装置４００に送信する。
【００１６】
表示部２６０は、印刷注文データに対する確認データを注文管理装置４００から受信し、利用者に確認させるために表示する。また、注文管理装置４００は、注文確認データを注文処理部２４０に出力する。注文確認データは、例えば利用者が高頻度でメールを送信するメールアドレスを含む。
【００１７】
メール送信部２８０は、注文確認データに含まれるメールアドレスを送信先アドレスに設定して、メールを送信する。メール本文は、例えば入力部２２０から入力される。また、メールには撮像装置１００から受信した画像データを添付される。また、メール送信部２８０は、利用者のメール送信履歴を注文管理装置４００に送信する。
【００１８】
従って、利用者端末２００を用いることで、利用者は簡単に画像データを他人に送信することができる。
【００１９】
なお、利用者端末２００の上記した各機能を実現するプログラムは、図１に示したリムーバブルメディア４０からインストールされてもよいし、注文管理装置４００からダウンロードされてもよい。
【００２０】
図４は、注文管理装置４００の機能ブロック図である。注文管理装置４００は、アドレス格納部４２０、処理データ格納部４４０、人物数特定部４６０、アドレス取得部４８０、確認データ生成部５００、及び印刷部５２０を有する。確認データ生成部５００は、枚数設定部及び送信部の一例である。
【００２１】
アドレス格納部４２０は、利用者のメール送信履歴を利用者端末２００から受信して格納する。処理データ格納部４４０は、注文管理装置４００が処理したデータ、及びその履歴を格納する。
【００２２】
人物数特定部４６０は、利用者端末２００から画像データを受信し、当該画像データ中の略円形の肌色領域の数を認識したり、赤目処理数を半分にしたりすることで、当該画像データに含まれる人物数をを特定する。また、人物数特定部４６０は、略円形の肌色領域を、人物像を示す抽出画像データとして抽出する。そして、人物数特定部４６０は、特定した人物数及び抽出画像データを、アドレス取得部４８０及び確認データ生成部５００に出力する。
【００２３】
アドレス取得部４８０は、利用者端末２００から利用者ＩＤを受信し、当該利用者ＩＤに対応するメール送信履歴、及び人物数特定部４６０が特定した人物数に基づいてメールアドレスを選択し、確認データ生成部５００に出力する。例えば、アドレス取得部４８０は、人物数特定部４６０が特定した人物数と同じ数のメールアドレスを選択する。
また、アドレス取得部４８０は、人物数特定部４６０から受信した抽出画像データに基づいて、注文管理装置４００が受信した画像データに含まれる人物を特定し、特定した人物のメールアドレスを選択して確認データ生成部５００に出力してもよい。
【００２４】
確認データ生成部５００は、注文情報を利用者に確認させるための確認データを生成し、利用者端末２００に送信する。確認データには、アドレス取得部４８０から受信したメールアドレス、人物数特定部４６０から受信した人物数若しくは枚数データ、及び利用者端末２００から受信した画像データが含まれる。なお、画像データは、サムネイル化してあってもよい。そして、確認データ生成部５００は、確認データを処理データ格納部４４０に格納する。
【００２５】
印刷部５２０は、利用者端末２００から確認データの更新データを受信し、当該更新データに対応する確認データを処理データ格納部４４０から読み出し、読み出した確認データ及び更新データに基づいて印刷装置３０に印刷を実行させる。また、印刷部５２０は、処理データ格納部４４０に格納されている確認データを、利用者端末２００からの更新データに基づいて更新する。
【００２６】
従って、印刷管理装置４００を用いることで、利用者は、簡単に印刷枚数となるべき数字すなわち画像データ中の人物数を知ることができる。また、利用者は、画像データを送信すべきメールアドレスを知ることができる。
【００２７】
図５は、アドレス格納部４２０のデータフォーマットの一例を、利用者ＩＤ毎のテーブルとして示す図である。アドレス格納部４２０は、送信先のアドレス毎に、最終送信日時及び送信回数を格納する。アドレス格納部４２０のデータ形式を本図のようにすると、アドレス取得部４８０は、送信回数が多い順に、あるいは送信履歴が新しい順に、メールアドレスを選択することができる。
また、アドレス格納部４２０は、送信先アドレスに対応付けて、当該アドレスを有する人物の人物像を示す画像データを格納する。従って、アドレス取得部４８０は、人物数特定部４６０から取得した抽出画像データを、アドレズ格納部４２０中の画像データにマッチングさせることで、画像データに含まれている人物のメールアドレスを認識することができる。
【００２８】
図６は、処理データ格納部４４０のデータフォーマットの一例を、注文Ｎｏ毎のテーブルとして示す図である。処理データ格納部４４０は、当該注文を行った利用者のＩＤ、画像データ、印刷価格、当該画像データ中の人物数、注文数すなわち印刷枚数、及び確認データ中に含めた送信先アドレスを格納する。
従って、印刷部５２０は、処理データ格納部４４０からデータを読み出すことで、印刷装置３０に印刷を実行させることができる。
【００２９】
図７は、利用者端末２００の表示部２６０による表示画面の一例を示す図である。表示部２６０は、画像毎に、画像そのもの、画像識別情報、価格、撮影人数すなわち画像中に含まれる人物数、注文数、注文を実行するための注文ボタン、送信先メールアドレス、及びメール本文を対応付けて表示する。ここで、注文数としては、画像中に含まれる人物数と同じ数或いは枚数データが示す数が予め設定され、また、送信先メールアドレスは、アドレス取得部４８０が取得したメールアドレスが予め設定される。注文数、及び送信先メールアドレスはユーザ入力により更新可能である。また、メール本文は、ユーザ入力により設定される。
従って、利用者は、表示部２６０による表示画面で入力を行うことで、画像データのメール送信、及び印刷注文を同時に行うことができる。また、メール送信ボタンがメールアドレス毎に設定されている。このため、メールアドレス毎に画像データを送信するか否かを逐次確認することができる。
【００３０】
図８は、本注文管理システムの利用者端末２００及び注文管理装置４００の動作を示すフローチャートである。
【００３１】
利用者端末２００は、撮像装置１００から画像データを取得する（Ｓ２０）と、利用者からの入力に従って画像データ及び利用者ＩＤを送信する（Ｓ４０）。ここで、画像データに枚数データが付随している場合は、枚数データも合わせて送信する。
受信したデータに枚数データが含まれない場合、注文管理装置４００の人物数特定部４６０は、人物数を特定する（Ｓ８０）。そして、枚数データ若しくは人物数を、注文枚数として設定する（Ｓ１００）とともに、アドレス取得部４８０は、アドレスを取得する（Ｓ１２０）。そして、確認データ生成部５００は、確認データを生成して利用者端末２００に送信する（Ｓ１４０）。そして、注文管理装置４００は処理データ格納部４４０に確認データを格納する（Ｓ１６０）。
【００３２】
利用者端末２００は、確認データを表示し、利用者に確認を行わせる（Ｓ１８０）。そして、利用者が確認データの更新或いはメール本文の入力を行った後（Ｓ２００）、確認データの更新データを注文管理装置４００に送信する（Ｓ２２０）。そして、注文管理装置４００は、処理データ格納部４４０の確認データを更新し（Ｓ２４０）、印刷装置３０に印刷処理を実行させる（Ｓ２６０）。また、利用者端末２００は、ユーザ入力に従って、画像データを含むメールの送信を行う（Ｓ２８０）。
【００３３】
従って、本注文管理システムを用いることで、利用者に負担をかけることなく利用者が望む印刷枚数や画像送信先を設定することができる。
【００３４】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３５】
【発明の効果】
上記説明から明らかなように、本発明によれば利用者に負担をかけることなく利用者が望む印刷枚数を設定することができる。
【図面の簡単な説明】
【図１】本発明の実施携帯の一例である注文管理システムの全体を示す概略図である。
【図２】撮像装置１００の機能ブロック図である。
【図３】利用者端末２００の機能ブロック図である。
【図４】注文管理装置４００の機能ブロック図である。
【図５】アドレス格納部４２０のデータフォーマットの一例を、利用者ＩＤ毎のテーブルとして示す図である。
【図６】処理データ格納部４４０のデータフォーマットの一例を、注文Ｎｏ毎のテーブルとして示す図である。
【図７】利用者端末２００の表示部２６０による表示画面の一例を示す図である。
【図８】本注文管理システムの利用者端末２００及び注文管理装置４００の動作を示すフローチャートである。
【符号の説明】
１００　撮像装置
１２０　撮像部
１４０　入力部
１８０　出力部
２００　利用者端末
４００　注文管理装置
４６０　人物数特定部
４８０　アドレス取得部
５００　確認データ生成部（枚数設定部及び送信部）
５２０　印刷部
【図１】
2004038248.tif 000003
【図２】
2004038248.tif 000004
【図３】
2004038248.tif 000005
【図４】
2004038248.tif 000006
【図５】
2004038248.tif 000007
【図６】
2004038248.tif 000008
【図７】
2004038248.tif 000009
【図８】
2004038248.tif 000010